(57)【要約】【課題】市販されているマスク着用時のマスク側辺と顔面の隙間をなくして、空気中のウイルスや花粉、その他微粒子の侵入を防ぎ、本来のマスクの機能を取り戻すのを目的とするマスク用の補助具を提供する。【解決手段】前記目的達成の為、ウイルスや花粉、その他微粒子の侵入を防ぐ素材からなる隙間遮断面２と、前記隙間遮断面２の一部の辺に設けられたマスク本体内側側辺に接合する粘着性のある第１ののりしろ部５と第２ののりしろ部６で形成され、前記マスク本体内側側辺の各々それぞれに付着させることによりマスク本体１を立体構造化させる三角形状のマスク用の補助具１０である。【選択図】図１
2014171846.tif 000002
【特許請求の範囲】
【請求項１】
ウイルスや花粉、その他微粒子の侵入を防ぐ素材からなる隙間遮断面と、前記隙間遮断面の一部の辺に設けられたマスク本体内側側辺に接合する粘着性のある第１ののりしろ部と第２ののりしろ部で形成され、前記マスク本体内側側辺の各々それぞれに付着させることによりマスク本体を立体構造化させる三角形状のマスク用の補助具。
【請求項２】
前記マスク補助具第１ののりしろ部と第２ののりしろ部との間に切れ込みを入れていることを特徴とする請求項１記載の三角形状のマスク用の補助具。
【発明の詳細な説明】
【技術分野】
【０００１】本発明は市販のマスク装着時のマスク側辺と顔面の隙間を遮断し、ウイルスや花粉、その他微粒子の侵入によるマスク本来の機能の低下を防ぐためのマスク補助具である。
【背景技術】
【０００２】市販のマスクも各種商品がありワイヤー入りのマスク等により鼻の側面部の隙間の減少を促すもの、立体構造により息苦しさを減少させる等の商品がありますが、マスク側面の隙間は間違ったマスク装着方法、サイズの違い及び着用中のずれ等により、隙間が発生してしまう商品が多く解消しづらい問題点であります。【０００３】国民生活センターのマスク効果のテストによると、マスクの装着方法によっては本来のマスク機能を十分に発揮できずに半減してしまっているとのことです。マスクを両面テープ等で顔面に四方付着させた場合はマスク本来の機能を十分に発揮できとのことであるが、装着時の不快感は免れないものである。【０００４】又、高性能フィルター等を使用した産業用マスク等は気密性が保たれているが、高価により、多数購入は困難である。特許文献の例として、特許文献１のようなスポンジ等を利用しての補助具他、特許文献２及び特許文献３の二重構造にての補助具等がありますが、装着時の違和感の排除は難しいところがあります。
【先行技術文献】
【特許文献】
【０００５】
【特許文献１】特許公開２０１０−１２５３０２
【特許文献２】特許公開２００６−２１７９３６
【特許文献３】特許公開２００４−３４４３８７
【発明の概要】
【発明が解決しようとする課題】
【０００６】市販のマスクは装着方法、サイズの違い及び着用中のずれ等によって、マスクと顔面との間に隙間が生じ、本来のマスク機能を十分に発揮できずにいる。この問題を解消する為に、マスク側辺と顔面の隙間を遮断し、ウイルスや花粉、その他の微粒子の侵入を防ぐ為の補助具を提供する。
【課題を解決するための手段】
【０００７】前記目的達成の為、ウイルスや花粉、その他微粒子の侵入を防ぐ素材からなる隙間遮断面と、前記隙間遮断面の一部の辺に設けられたマスク本体内側側辺に接合する粘着性のある第１ののりしろ部と第２ののりしろ部で形成され、前記マスク本体内側側辺の各々それぞれに付着させることによりマスク本体を立体構造化させる三角形状のマスク用の補助具を提供する。【０００８】前記マスク補助具は付着させていない状態では、前記マスク補助具第１ののりしろ部と第２ののりしろ部との間に切れ込みを入れていることを特徴とする請求項１記載の三角形状のマスク用の補助具。
【発明の効果】
【０００９】マスク補助具装着後の市販マスクを装着した時は、マスクの着用感を変えずにマスク側辺と顔面の隙間が遮断され、マスク補助具と顔面の密着性を本マスク補助具により確保でき、ウイルスや花粉、その他微粒子の侵入を防御してマスク本来の機能を取り戻すことができる。【００１０】又、本マスク補助具の未装着時はマスク補助具第１ののりしろ部と第２ののりしろ部の間に切れ込みを入れているので未装着時は本マスク補助具を平面状態で保有できるのも魅力であり、現在所持しているマスクの機能向上をはかることができるので、経済的でもある
【図面の簡単な説明】
【００１１】
【図１】マスク補助具を付着させたマスクを使用している状態の図である。
【図２】マスク補助具の単体の説明図である。
【図３】マスク補助具の装着方法を示す説明図である。
【発明を実施するための形態】
【００１２】以下、本発明の実施の形態を図に基づいて説明する。
【００１３】図１はマスク補助具１０（図の斜線部分）が、マスク使用時にマスク側辺と顔面にできる隙間部分を遮断している状態を示しています。このマスク補助具１０はマスク本体の内側両辺に取り付けられている。マスク補助具１０は図３の装着方法によりマスク本体内側側辺より垂直に立ち上がっているので、隙間遮断面２の補助具底辺３が顔面と密着しウイルスや花粉、その他微粒子の侵入を防いでいる。
【００１４】本マスク補助具１０は図２で示しているように三角形状のもので、マスク本体内側側辺と接合させる隙間遮断面２の一部の辺に設けられた補助具折れ線部４より垂直に形成されている粘着性を持たせた長方形状の第１ののりしろ部５及び第２ののりしろ部６と、マスク使用時に生じる隙間を遮断する隙間遮断面２から形成されている。この隙間遮断面２はマスク本体１と同じ素材で作られている。第１ののりしろ部５と第２ののりしろ部６をたした長さｌ’はマスク本体側辺の長さと同等の長さであることが望ましく、第１ののりしろ部５及び第２ののりしろ部６の粘着物は両面テープも考えられる。
【００１５】第１ののりしろ部５と第２ののりしろ部６の間に形成されている三角形状の略中央部の切れ込み部９は図３で示すように第１ののりしろ部５と第２ののりしろ部６をたした長さｌ’の略中央部約３分の１範囲内に設定し、図２で示すように補助具底辺３より垂直に立ち上げた隙間遮断面２の高さｌは、好ましくは２．５ｃｍ〜３．５ｃｍの範囲内に設定すると、マスク補助具１０を装着時に程よい隙間遮断面２が立ち上がり、顔面との密着性を保つことができます。
【００１６】取り付け方法は例えば図３のように、まず、マスク本体内側側辺の上方略２分の１部分にマスク補助具１０第１ののりしろ部５をその側辺上に貼り付けます。次に第１の接合辺７と第２の接合辺８を合わせるように第２ののりしろ部６をマスク本体内側側辺の下方略２分の１部分に貼り付けると、図中の隙間遮断面２がマスク本体内側側辺より垂直に立ち上がり隙間遮断面２を形成します。同様に他のマスク本体内側側辺にマスク補助具１０を装着することにより、マスク本体１は立体構造化され、図１のような装着時にウイルスや花粉、その他微粒子の侵入を遮断するマスクが形成される。
【００１７】又、前記マスク補助具１０をマスク本体１製作時に、マスク本体１と一体化させた形体の立体構造マスクを製作することも考えられる。
【符号の説明】
【００１８】  １  マスク本体
２  隙間遮断面
３  補助具底辺
４  補助具折れ線部
５  補助具第１ののりしろ部
６  補助具第２ののりしろ部
７  補助具第１の接合辺
８  補助具第２の接合辺
９  補助具三角形状の切れ込み部
１０  マスク補助具
【図１】
2014171846.tif 000003
【図２】
2014171846.tif 000004
【図３】
2014171846.tif 000005